(57)【要約】【課題】狭い空間に収容可能なティッシュペーパー用の圧縮可能なカートンと、それを形成するブランクを提供する。【解決手段】  圧縮可能なパッケージまたはカートンの側壁部に一対の刻み線を設けて、パッケージを狭い空間に収容できるくさび形に圧縮するのを容易にする。圧縮可能なカートンは、刻み線付きの底部フラップを備えたもの、あるいは側壁部の底部と底部フラップの形状を、カートンを圧縮したときの底部フラップの形状が側壁部の形状に対して補完的となるようにして、圧縮時にカートンの閉じられた状態を維持するようにもできる。圧縮可能なパッケージは、好適には、ティッシュペーパーを保存し取り出せるようにしたカートンであって、くさび形となり、カートンが閉じられた状態のまま、例えば自動車の座席と中央コンソールの隙間のような狭い空間にはめ込むことを可能としたものである。【選択図】図２
2014500201.tif 000002
【特許請求の範囲】
【請求項１】
圧縮可能なカートンであって、
（ａ）前部パネルおよび後部パネルと、
（ｂ）対向する一対の側壁部であって、各側壁部は対向する２辺の中点を通る線に沿って実質的に垂直方向に延びる刻み線を有し、各刻み線により使用者がカートンを圧縮可能となる、該一対の側壁部と、
（ｃ）折り畳まれてカートンの上部を形成する少なくとも１つの上部フラップと、
（ｄ）前記前部パネルおよび後部パネルから延在し、折り畳まれてカートンの底部を形成する底部フラップであって、各底部フラップは対向する２辺の中点を通る線に沿って実質的に水平方向に延びる刻み線を有し、各刻み線により使用者がカートンを圧縮可能となる、該底部フラップと、
（ｅ）カートン開口とを有することを特徴とするカートン。
【請求項２】
前記カートン上部は、複数の上部フラップから形成され、前記複数の上部フラップは、相互に反対側に位置して前記側壁部から延在する２つの小型上部フラップと、前部パネルまたは後部パネルのいずれかから延在する大型上部フラップとを含むことを特徴とする請求項１に記載のカートン。
【請求項３】
前記小型上部フラップは、それぞれ前記側壁部に沿って設けられた垂直方向に延びる刻み線から実質的に連続する、概ね対向する２辺の中点を通る線に沿って実質的に垂直方向に延びる刻み線をさらに含むことを特徴とする請求項２に記載のカートン。
【請求項４】
前記大型上部フラップは、前記前部パネルから延在することを特徴とする請求項２に記載のカートン。
【請求項５】
前記開口が、前記前部パネルおよび前記大型上部フラップに配置されていることを特徴とする請求項３に記載のカートン。
【請求項６】
前記開口が、前記前部パネルに配置されていることを特徴とする請求項１に記載のカートン。
【請求項７】
前記側壁部は、正五角形でない五角形であることを特徴とする請求項１に記載のカートン。
【請求項８】
前記側壁部は、一対の実質的に平行な第１および第２の側部と、三角形状の底部とを含むことを特徴とする請求項７に記載のカートン。
【請求項９】
前記三角形状の底部は、底角αが約１００度〜約１５０度の二等辺三角形の形状を有することを特徴とする請求項８に記載のカートン。
【請求項１０】
前記三角形状の底辺に対する頂点は、前記側壁部に沿って実質的に垂直方向に延びる刻み線によって頂角を二等分されていることを特徴とする請求項８に記載のカートン。
【請求項１１】
取り外し可能な上乗せボードをさらに含み、前記上乗せボードの少なくとも一部は、前記大型上部フラップの上に位置することを特徴とする請求項５に記載のカートン。
【請求項１２】
複数のティッシュペーパーをさらに含むことを特徴とする請求項１に記載のカートン。
【請求項１３】
圧縮可能なカートンを形成するためのブランクであって、
（ａ）第１、第２、および第３の矩形の面と、
（ｂ）前記矩形の面によって互いに分離された一対の側壁部であって、各側壁部は対向する２辺の中点を通る線に沿って実質的に垂直方向に延びる刻み線を有する、該側壁部と、
（ｃ）複数の上部フラップであって、前記側壁部から延在する２つの小型上部フラップと、前記矩形の面の少なくとも１つから延在する大型上部フラップとを含む、該複数の上部フラップと、
（ｄ）前記矩形の面の少なくとも１つから延在する底部フラップであって、少なくとも１つの実質的に水平方向に延びる刻み線を有する、該底部フラップと、
（ｅ）カートン開口とを備えることを特徴とするブランク。
【請求項１４】
前記第１および第３の矩形の面は、カートンを形成するように折り畳まれたとき互いに接合されることを特徴とする請求項１３に記載のブランク。
【請求項１５】
前記大型上部フラップは、前記小型上部フラップの上に折り畳まれて、前記カートンの上部を形成することを特徴とする請求項１３に記載のブランク。
【請求項１６】
前記側壁部は、正五角形でない五角形であることを特徴とする請求項１３に記載のブランク。
【請求項１７】
前記側壁部は、前記側壁部は、一対の実質的に平行な第１および第２の側部と、三角形状の底部とを含むことを特徴とする請求項１３に記載のブランク。
【請求項１８】
前記三角形状の底部は、底角αが約１００度〜約１５０度の二等辺三角形の形状を有することを特徴とする請求項１７に記載のブランク。
【請求項１９】
前記三角形状の底部の底辺に対する頂点は、前記側壁部に沿って実質的に垂直方向に延びる刻み線によって頂角を二等分されていることを特徴とする請求項１７に記載のブランク。
【請求項２０】
圧縮可能なカートンであって、
（ａ）矩形の前壁部と、
（ｂ）矩形の後壁部と、
（ｃ）前記前壁部と前記後壁部とを結合する、三角形または台形の一対の側壁部であって、前記側壁部のそれぞれは、対向する２辺の中点を通る線に沿って実質的に長手方向に延びる刻み線を有し、各刻み線により使用者がカートンを圧縮可能となる、該一対の側壁部と、
（ｄ）前記前壁部と前記後壁部とを結合する底壁部であって、前記底壁部は、対向する２辺の中点を通る線に沿って実質的に水平方向に延びる刻み線を有し、各刻み線により使用者がカートンを圧縮可能となる、該底壁部と、
（ｅ）カートン開口とを有することを特徴とするカートン。
【発明の詳細な説明】
【技術分野】
【０００１】
本出願は、圧縮可能なパッケージであって、側壁部が、パッケージを狭い空間に収容するためにくさび形に圧縮するのを容易にする一対の刻み線を有する、圧縮可能なパッケージに関するものである。
【背景技術】
【０００２】
ティッシュペーパーカートンなどの消費者製品用ディスペンサの製造者は、通常提供される典型的な平行六面体形状以外の代替形状に、ますます関心を持つようになってきている。平行六面体（直角プリズム）は、いくつかの利点、例えば製品の効果的なパッキング、製品の効率的な分配、およびカートンを製造する効率的なボードの利用などを提供することができる。しかし、消費者はそのような形状に慣れてきており、ある製品と別の製品とを差別化する要素はほとんどない。模様を施すのは差別化の助けにはなり得るが、基本的なディスペンサの形状は、すべてのメーカーで概ね同一なままである。
【０００３】
そのような形状のディスペンサは、ティッシュペーパーの保存と分配によく適合されているが、一般的には家屋の外部での効率的な利用のための寸法や形状とはされていない。代替形状のディスペンサも提案されてきたが、すべての消費者の屋外でのティッシュペーパーの分配のニーズを満たすものではなく、多くの場合、製品の流通コストを著しく高めるような形状や寸法とされており、この高いコストは顧客の支払うコストに転嫁され、このため可能となる代替的なディスペンサの形状が、小売業者や消費者からみれば高価で望ましくないものとしてしまっている可能性がある。
【０００４】
従来のディスペンサが効率的でなくなる屋外の特定の場所の１つは、自動車の車内である。従来のディスペンサは、ドライバーの手の届く範囲、例えば地図ポケット、ダッシュボード、コンソールコンパートメントなどの便利な位置のなかに収めるには適合していない。従って、ティッシュペーパーパッケージは、通常は、前部や後部座席、床、後部窓ガラス前シェルフ、およびグローブコンパートメントなどの手の届きにくい位置に置かれることになる。これらの位置に置かれることが何を意味するかというと、パッケージが踏みつけられたり、その上に座られたり、何かがその上に置かれて壊されることが多くなり、結果的にカートンの分配機構が損なわれ、開口が割れたり、曲がったりし、ティッシュペーパーが引き出されるときに破れたりすることになるということである。もう１つの問題は、パッケージが動き回ってしまい、見つからなくなることである。パッケージはシート、床、シートの下側を滑って動く。パッケージが、ドライバーの足の下や自動車のフットペダルの近くまで動くこともあり、この場合自動車の安全上の問題も生ずることになる。ティッシュペーパーパッケージが特定の位置に保持されないことが多く、見つけにくくなることがあるという事実は、ドライバーがディッシュペーパーのパッケージを探すことで気が散り、また両手を運転のために使用できなくなる場合にも問題となり得る。
【先行技術文献】
【特許文献】
【０００５】
【特許文献１】米国特許第４，７６０，９５１号明細書
【発明の概要】
【発明が解決しようとする課題】
【０００６】
従って、典型的な平行六面体の形状とは著しく異なるが、同時に屋外、特に自動車の車内でも容易に利用できるディスペンサの形状に対する必要性が存在する。このため、本発明は、従来のティッシュペーパー収容箱の問題を解決する圧縮可能なカートンを提供する。
【課題を解決するための手段】
【０００７】
適切に設計されたティッシュペーパーパッケージが、自動車で使用されている既存のティッシュペーパーパッケージの現状の問題を解決し、満たされていなかった消費者のニーズを満たすことを本発明者は発見した。一般に、その圧縮可能なカートは、そのサイズに対して最大枚数のティッシュを収容しつつ、ドライバーの使用のために便利な小さいコンパートメントの位置に納められるように設計される。その圧縮可能なカートンは、大半の自動車の地図ポケット、ダッシュポケット、およびコンソールコンパートメントにはめ込み可能な薄い形状であるだけでなく、自動車内の各種空間、例えばシートとコンソールの間の空間等にはめ込み可能である圧縮可能なくさび形状を有している。このことで、カートンを見つけやすくなり、カートンが車内を動き回ることが防止され、かつカートンが損なわれるのを防止できる。そのティッシュ供給スリットは、カートンが自動車内に収容されるときにはティッシュペーパーが既存のティッシュペーパーカートンのように隠されるのでなく消費者に向き合う形で提供されるように配置される。
【０００８】
従って、本発明は、その一態様では、圧縮可能なカートンであって、
前部パネルおよび後部パネルと、
対向する一対の側壁部であって、各側壁部は対向する２辺の中点を通る線に沿って実質的に垂直方向に延びる刻み線を有し、各刻み線により使用者がカートンを圧縮可能となる、該一対の側壁部と、
折り畳まれてカートンの上部を形成する少なくとも１つの上部フラップと、
前記前部パネルおよび後部パネルから延在し、折り畳まれてカートンの底部を形成する底部フラップであって、各底部フラップは対向する２辺の中点を通る線に沿って実質的に水平方向に延びる刻み線を有し、各刻み線により使用者がカートンを圧縮可能となる、該底部フラップと、
カートン開口とを有することを特徴とするカートンを提供する。
【０００９】
カートンを、その閉じた状態を維持しつつ自動車のシートと中央コンソールの間のような狭い空間に押し込まれる能力を改善するために、好ましい実施形態では、カートンの側壁部の形状は、一対の実質的に平行な側部と三角形状の底部とを含む、正五角形ではない五角形である。特に好ましい実施形態では、三角形状の底部は、底角αが約１００度〜約１５０度の二等辺三角形の形状を有する。
【００１０】
別の態様では、本発明は、圧縮可能なカートンを形成するためのブランクであって、
第１、第２、および第３の矩形の面と、
前記矩形の面によって互いに分離された一対の側壁部であって、各側壁部は対向する２辺の中点を通る線に沿って実質的に垂直方向に延びる刻み線を有する、該側壁部と、
複数の上部フラップであって、前記側壁部から延在する２つの小型上部フラップと、前記矩形の面の少なくとも１つから延在する大型上部フラップとを含む、該複数の上部フラップと、
前記矩形の面の少なくとも１つから延在する底部フラップであって、少なくとも１つの実質的に水平方向に延びる刻み線を有する、該底部フラップと、
カートン開口とを備えることを特徴とするブランクを提供する。好ましい実施形態では、前記側壁部は、前記側壁部は、三角形状の底部を含む正五角形でない五角形であり、前記三角形状の底部の底辺に対する頂点は、前記側壁部に沿って実質的に垂直方向に延びる刻み線によって頂角を二等分されているものである。
【００１１】
さらに別の態様では、本発明は、圧縮可能なカートンであって、
矩形の前壁部と、
矩形の後壁部と、
前記前壁部と前記後壁部とを結合する、三角形または台形の一対の側壁部であって、前記側壁部のそれぞれは、対向する２辺の中点を通る線に沿って実質的に長手方向に延びる刻み線を有し、各刻み線により使用者がカートンを圧縮可能となる、該一対の側壁部と、
前記前壁部と前記後壁部とを結合する底壁部であって、前記底壁部は、対向する２辺の中点を通る線に沿って実質的に水平方向に延びる刻み線を有し、各刻み線により使用者がカートンを圧縮可能となる、該底壁部と、
カートン開口とを有することを特徴とするカートンを提供する。
【図面の簡単な説明】
【００１２】
【図１】本発明の特徴を備えた収納箱の斜視図。
【図２】使用時の図１の収容箱を示す図。
【図３】本発明の一実施形態による収容箱ブランクの平面図。
【図４】本発明の別の実施形態による収容箱ブランクの平面図。
【図５】本発明の別の実施形態による収容箱ブランクの平面図。
【発明を実施するための形態】
【００１３】
本明細書では、本発明の圧縮可能な収容箱についてティッシュペーパーを収容し分配するためのカートンとして説明するが、当業者は、本発明のカートンが他の種類の折り畳まれたシート製品を収容、分配するためにも利用可能であることを理解されよう。従って、用語「ティッシュペーパー」は、化粧紙ティッシュに限定されるものではなく、ドライまたはウェットタイプの拭き取り用ティッシュや、工業用拭き取りペーパーや、石けんまたは布地柔軟シート等のシート製品を包含するものとする。
【００１４】
本明細書において、用語「含む」、「有する」、「備える」は、いずれも法律的に等価な意味を表すものであって、非制限的に構成要素や属性を特定する意味で用いられる。したがって、これらの後の前に記載されていない追加の要素、機能、過程、または限定事項も、記載されている要素、機能、過程、または限定事項に加えて存在し得る。
【００１５】
本明細書において使用される用語「圧縮可能な」は、本発明のカートンの使用者によって加えられた力に降伏する能力を意味する。より具体的には、この用語は、使用者がカートンの前部パネルおよび後部パネルに互いに反対向きの力を加えたときにＺ軸方向に変形する能力を意味する。
【００１６】
本明細書において使用される用語「刻み線」は、折れ線として作用するあらゆる線を指し例えばカートン材料の折り目付け加工、引っかき加工、ミシン目加工、エンボス加工、およびその他の圧縮、切断、および／または折り目付け処理によって形成される引っかき線、折り目、切り込み線、ミシン目などを含むものとする。
【００１７】
ここで図１を参照すると、図１には、一対の側壁部（ただ１つの側壁部２０のみ図示）によって分離された矩形の前部パネル１２および後部パネル（図示せず）を備えた圧縮可能なカートン１０の斜視図が示されている。カートンは、以下に限定されないが、ボール紙、カートンストック、板紙、ポリプロピレン、ポリエチレン、ポリスチレン、ＡＢＳプラスチック、およびプラスチックその他の適切な材料から形成することが可能である。カートン１０はさらに、取り出し開口６０を備えており、選択に応じて、取り出しウィンドウ５０、および取り出しウィンドウ５０を覆う取り外し可能な上乗せボード６６を備える。
【００１８】
カートン１０は、大型上部フラップ１４を含む複数の上部フラップと、底部フラップ１６とによって閉じられている。側壁部２０は、その中央線に概ね沿って実質的に垂直方向に延びる刻み線４０を有する。刻み線４０は、側壁部の長さ方向全体に延びているものでも、その長さ方向の一部にのみ延在するものでもよい。一実施形態では、刻み線は側壁部の上側端部から約０．２５インチ〜約１．５インチ（約６．３５ｍｍ〜約３８．１ｍｍ）下を末端とするか、より好ましくは上側端部から約０．５インチ〜約１．０インチ（約１２．７ｍｍ〜約２５．４ｍｍ）下を末端とする。使用者が、前部パネル１２と後部パネルに反対方向の力を加えることにいおってカートン１０を圧縮すると、刻み線４０により側壁部２０が変形し、これによりカートンのＺ軸方向の深さが小さくなる。
【００１９】
一実施形態では、カートンを閉じられた状態に維持したたままでの使用者によるカートンの圧縮をさらに容易にするために、底部フラップ１６が、そのフラップに沿って水平方向に延びる少なくとも１つの刻み線を有する。側壁部に沿った垂直方向に延びる刻み線と同様に、その底部フラップに沿った刻み線により、使用者がカートンの前部および後部パネルに反対方向の力を加えたとき底部フラップが変形できるようになる。使用者が加えた圧力で底部フラップの高さが低くなるので、これで生じた底部フラップの変形によりカートンの圧縮が容易になる。
【００２０】
特定の好ましい実施形態では、側壁部２０の底部と底部フラップ１６は、カートンが使用者により圧縮されたとき、それで生ずる底部フラップの形状が側壁部の形状と補完的な形状となり、カートンの実質的に閉じられた状態を維持できるような形状とされる。例えば、一実施形態では、側壁部が、一対の実質的に平行な側部と三角形状の遠端部とを有する、正五角形でない五角形の形状とされる。特定の好ましい実施形態では、側壁部の対向する２辺の中点を通る線に実質的に沿って延びる刻み線が、側壁部の長さ方向に沿って延びて三角形状の底部を二等分する。側壁部の三角形状の底部を補完するべく、底部フラップは、一対の刻み線を有する。カートンが使用者によって圧縮されたとき、底部フラップはＶ字形状を形成し、このＶ字形状が側壁部の三角形状の遠端部を受容する。側壁部の遠端部を底部フラップの形状に対して補完的な形状とすることにより、カートンは圧縮時にも実質的に閉じられた状態を保つことになる。
【００２１】
底部フラップが一対の刻み線を含む実施形態は、後部パネルの下に押し込まれ得るＶ形状部から延びるタブを形成し、カートンをさらに閉じた状態にできるという追加の利点を有する。好ましい実施形態では、そのタブは後部パネルに固定されず、使用者によりカートンに加えられた圧力に応じて再配置され得るように、自由に浮かせられた状態とされる。
【００２２】
使用者による図１のカートンの圧縮を示す図２を参照すると、側壁部の変形とＶ字形状の底部フラップの形状を見ることができる。図に示す実施形態では、使用者が、前部パネル１２と後部パネル（図示せず）に反対方向の力を加えることによってカートンを圧縮している。カートン１０は、側壁部２０と底部フラップ１６の変形により圧縮される。側壁部２０の変形は、側壁部の対向する２辺の中点を通る線に実質的に沿って延びる垂直方向の刻み線４０によって容易になされる。使用者が圧力を加えると、刻み線４０により、側壁部２０がカートンの内部につぶされて、カートンの寸法がＺ軸方向に小さくなる。折り畳まれた底部フラップの対向する２辺の中点を通る線に実質的に沿って延びる水平方向の刻み線４４も、使用者により加えられた力の下で変更することによるカートンの圧縮が容易になされるようにしている。さらに図２に示すように、使用者によって加えられた力により、カートンが圧縮され、カートンの上部から底部へと先細になっているくさび形を形成する。
【００２３】
図３を参照すると、折り畳まれて最終的なカートン形状を形成する前の、切断前でかつ印刷前のブランクとしてのカートンの平面図が示されている。図示される実施形態では、ブランクは、第１の矩形部２０、第１の（非正五角形の）五角形部２２、第２の矩形部１２、第２の（非正五角形の）五角形部２０、および第３の矩形部２８を備える。また、図示される実施形態では、カートンブランクが、複数の上部フラップ１４，２４、２６、３２、および３４、並びに底部フラップ１６を有する。ブランクはさらに、複数の折り目（刻み線または折れ線とも称する）５１、５２、５４、および５６を有し、これらは少なくとも部分的に第１、第２、および第３の矩形部１２、２８、および３０と、第１および第２の五角形部２０および２２を形成する。折れ線は、通常は、引っかき加工、スタンプ加工、またはカートン材料に折れやすい線を形成する他の方法によって形成される。適当な追加の折れ線は、矩形部１２、２８および３０並びに第１および第２の五角形部２０および２２と、上部および底部フラップ１４、１６、２４、２６、３２、および３４との間に形成される。
【００２４】
図３に示す実施形態では、上部フラップ１４、２４、２６、３２および３４は、４枚の小型フラップ２４、２６、３２および３４と大型フラップ１４とからなり、４枚の小型フラップは、第１および第３の矩形部２２および３０並びに第１および第２の五角形部２０および２２からそれぞれ延出し、大型フラップは第２の矩形部１２から延出している。一実施形態では、ブランクが折られてカートンを形成したとき、小型フラップ３２および３４は小型フラップ２４および２６の上に重ねられ、これらには大型フラップ１４が重ねられてカートン上部が形成される。
【００２５】
さらに図３に示す実施形態では、ブランクが第１および第２の五角形部２０および２２を備える。折り畳まれたとき、第１および第２の五角形部２０および２２は、カートンの側壁部を形成する。好ましくは、第１および第２の五角形部２０および２２は、一対の実質的に平行な側部を有し、これらの側部は、矩形部１２、２８および３０から五角形部２０および２２を分離する刻み線によって画定されている。五角形部２０および２２の底部５３は、好ましくは三角形状とされる。さらに好ましくは、底部５３は、底角αが約１００度〜約１６０度、なお好ましくは約１２０度〜約１４０度の二等辺三角形である。さらに図２に示すように、三角形の底部５３は、五角形部２２の中央で実質的に垂直方向に延びる刻み線によって二分される。あらゆる特定の理論によって否定されることなく、ブランクがカートに折り畳まれたときには、側壁に沿って垂直に延びる刻み線によりカートンを使用者が圧縮できるようになると考えられる。使用者が前部パネル１２および後部パネル３０に対し反対方向に圧力を加えることによりカートン１０を圧縮すると、刻み線４０および４２により側壁部２０が変形し、側壁部の幅が小さくなってカートンが圧縮される。
【００２６】
図３をさらに参照すると、底部フラップ１６は第２の矩形部１２から延出している。折り畳まれたとき、底部フラップ１６は収容箱の底部を形成する。底部フラップ１６は、例えば矩形、台形、五角形、または六角形など適当な多角形の形状であり得る。底部フラップ１６は、好ましくは、その対向する２辺の中点を通る線に沿って、実質的に水平方向に延びる少なくとも１本の刻み線を有し、より好ましくは一対の実質的に水平方向に延びる刻み線を有する。底部フラップ１６に実質的に水平方向に延びる２本の刻み線が設けられた好ましい実施形態では、刻み線４４および４６が底部フラップ１６を第１、第２、および第３の部分に分割する。折り畳まれたとき、底部フラップ１６の第１および第２の部分は、側壁２０および２２の三角形状の底部５３を受容するＶ字形状を形成し、これにより収容箱が使用者によって圧縮されときにも実質的に閉じられた収容箱が形成されることになる。次に底部フラップの第３の部分を上側に折り曲げて、第１および第２後部パネル部２８および３０（これらが収容箱の後部を形成する）の後ろ側に合わせられる。好ましくは、底部フラップ１６は、後部パネルのいずれにも固定されず、フラップが自由に浮かせられた状態にされ、使用者が収容箱を圧縮したことに応じて再配置されて、実質的に閉じられたカートンを維持できるようにされる。
【００２７】
図３に示すブランクからカートンを形成するため、第１の折り畳みは、折り線５４に沿ってなされ、第２の折り畳みは、折り線５６に沿ってなされ、第１の側壁部３０と後部パネル３０の半分を形成する。第３の折り畳みは、折り線５１に沿ってなされ、第４の折り畳みは折り線５２に沿ってなされ、第２の側壁部２２と前部パネル１２と後部パネル２８の第２の半分とを形成する。後部パネルの半分２８および３０は、接着または他の既知の方法により相互に結合されて、連続した後部パネルが形成される。上部フラップ１４、２４、２６、３２および３４を折り畳み、固定することにより上部閉鎖部を形成し、折り線に沿って底部フラップ１６を折り畳み、底部フラップ１６と前部パネル１２とを分けることによってカートンが完成する。特定の好ましい実施形態では、底部フラップがタブ４６を含む３つの部分に折られ、タブ４６は後部パネルの後ろに押し込まれてカートンの底部が形成される。底部フラップタブ４６は、後部パネルに固定されてもよいが、後部フラップは固定されず、浮かせられた状態とし、使用者がカートンを圧縮し易くするのが好ましい。
【００２８】
図３を参照すると、カートンブランクはさらに取り出し開口６０を備え、選択に応じて取り出しウィンドウ５０も備える。自動化したカートンの製造ラインに載せるために、取り出しウィンドウはカートンブランクに予め取り付けておくべきであり、その場合、取り出しウィンドウは、上部フラップの内部か外部のいずれか、好ましくは図示するように内部に取り付けることによってカートンブランクに取り付けられる。取り出しウィンドウは、部分的に引き出された化粧紙ティッシュペーパーのようなシートを、ポップアップ取り出しのために取り出し開口内に保持し得る、フィルム、不織布、または紙材料などの適切なシート材料から形成することができる。取り出しウィンドウ５０は取り出しオリフィス６４を有し、取り出しオリフィス６４は、スリット、曲がった切り込み線、一定の幾何学的形状（楕円形、円形、または三角形など）、あるいはＸ形状、＋形状、またはＨ形状のオリフィスであり得る。あるいは、取り出しウィンドウをなくし、取り出し開口６０に突出するフィンガーまたはタブを、取り出されるシートを部分的に保持するために用いることもできる。
【００２９】
取り出し開口６０は、正方形、円形、または卵形など任意の形状またはサイズとすることができる。取り出し開口６０は、上部フラップの１つにその全体が存在するように配置することができ、または取り出し開口６０を、その一部が大型上部フラップ１４に存在し、別の部分が前部パネル１２に存在するように配置することもできる。取り出し開口６０を、大型フラップ１４および前部パネル１２のそれぞれの一部分にまたがるように配置することによって、カートンを形成するために利用されるボード材料の量を最小にすることができる。これは、取り出し開口を外囲するのに必要な材料が少なくなるので、上部フラップの全体のサイズを小さくできることによって生ずる。その上、取り出し開口を収容箱上部と前部パネルのそれぞれの一部分にまたがるように配置することによって、一体的なすなわち一部品構造の取り出しウィンドウを用いることが可能となり、カートンの全体の構造が単純化され、また取り出しオリフィスの形状選択を最大限に柔軟に行うことが可能となる。一体的にすることは、取り出しウィンドウが、嵌め合わせたり重ねたりされる２以上の部品から形成されたものでなく一部品構造となることを意味する。ウィンドウが一体的であることから、取り出しオリフィスおよび／または取り出しウィンドウを形成するために複数の部品の嵌め合いや結合を考慮することなく、ウィンドウに、取り出しオリフィスのための任意の形状の切り込みを入れることが可能となる。
【００３０】
カートンは、選択に応じて取り外せる上乗せボードを含み、この上乗せボードはミシン目加工または折り線加工によって上部フラップに取り付けることができる。取り外し可能な上乗せボードは、組み立てられた収容箱に異物が入るのを防止し、積載、輸送中での脆弱な取り出しウィンドウに対する保護を提供するために用いられる。カートンは、上部または底部フラップとともに、前部または後部パネルのいずれかにまたがって配置され得る選択的なフィルムカバーを備え得る。好ましい実施形態では、フィルムカバーの両端が、選択されたパネルの上部および底部フラップに取り付けられる。フィルムカバー５０を一対の反対側の小型フラップ（例えば小型フラップ２４および２６）に取り付けて、パネル１２にまたがるようにすることによって、フィルムカバーの取り付けられた両端が、収容箱の組み立て後は大型上部フラップおよび底部フラップの下に隠されて見えなくなる。フィルムカバーは、取り外しが容易になるように両端部の近くにミシン目加工しておくことができる。さらに、フィルム以外のシート材料を用いてカバーを構成することができる。フィルムカバーを用いて、購入時に製造業者を特定可能とする、目立つ商標などの印刷された情報を表示することができ、これは購入後に消費者が剥がし取って、収容箱のパネルのいずれかに施されたグラフィックデザインが損なわれないようにすることができる。
【００３１】
ティッシュペーパーを保護するために、取り出しスリットを備えたプラスチックフィルムを用いてカートン開口を覆う場合、スリットのいずれか一方の側に固定されていないプラスチックフィルムを用いるのが好ましい。取り出しスリットは、カートンの上部（前部または後部）の端部に沿って配置される。本明細書において、「端部に沿って配置」とは、使用者が取り出しのためにクリップの第１のティッシュを取ることができるようにするため、カートンの端部から約０．２５インチ（約６．３５ｍｍ）下までの間に位置することを意味する。第１のティッシュペーパーが取り出されると、残りのティッシュペーパーは折り合わせの結果として一度に一枚が取り出しスリットから引き出されるようになり、ポップアップ取り出しがされるようになる。取り出しスリットにより、連続したティッシュペーパーのそれぞれは、一部を外部に露出した状態で所定位置に保持されることになる。
【００３２】
ここで図４を参照すると、圧縮可能なカートンを形成するためのブランクの別の実施形態が示されている。図４に示す実施形態では、カートンの後部パネル３７が、一部品構造の材料から形成され、カートンは、一部品構造の後部材料を側壁部に接合することによって形成されている。さらに図４に示すように、ブランクは前部パネル１２、第１および第２の側壁部２０および２２、および後部パネル３７を備える。また、図示された実施形態では、カートンブランクは、複数の上部フラップ１４、２４、２６および３５と、底部フラップ１６とを備える。ブランクは、後部３７、前部１２、および側壁部２０および２２を少なくとも部分的に形成するのを助ける、４本の折り目または折り線を備える。ブランクは、上部フラップ１４、２４、２６および３５と、底部フラップ１６とを形成する折り目または折り線もさらに備えている。
【００３３】
図４にさらに示すように、好ましい実施形態では、前部パネル１２および後部パネル３７は実質的に矩形であり、側壁部２０および２２は正五角形でない五角形である。好ましくは、側壁部２０および２２は実質的に平行な側部を有し、これらの側部は、側壁部２０および２２を前部パネル１２および後部パネル３７から分ける刻み目によって形成されている。さらに好ましくは、側壁部２０および２２の遠位端は三角形状を有する。より好ましくは、底部５３は、底角αが約１００度〜約１６０度、なお好ましくは約１２０度〜約１４０度の二等辺三角形である。
【００３４】
図４をさらに参照すると、刻み目４０および４２が、側壁部２０および２２に沿って実質的に水平方向に延びている。好ましくは、刻み目は、その折り畳まれた形状にて側壁部の２辺の中点を結ぶ線に実質的に沿って延びるように設けられる。さらに、刻み目は、カートンの変形を容易にするべく底部フラップに沿って設けられる。好ましくは、少なくとも１本の刻み目は、底部フラップにそって水平方向に設けられ、より好ましくは、少なくとも２本の刻み目が、底部フラップにそって水平方向に設けられる。図４に示す好ましい実施形態では、第１の刻み目が前部パネル１２と底部パネル１６との間に設けられ、第２の刻み目が底部フラップの対向する２辺の中点を結ぶ線に概ね沿って実質的に水平方向に設けられる。刻み目４４により、好ましくは、底部フラップ１６が、折り畳まれたときＶ字形状を呈するようになる。
【００３５】
折り畳まれて圧縮可能なカートンを形成することができる別のカートンブランクの、さらに別の実施形態が図５に示されている。図５を参照すると、好適なブランクが、後部パネル３７、底部フラップ１６、および前部パネル１２を備え得る。ブランクはさらに、前部パネル１２に取り付けられ、一対の折り目によって輪郭が形成された一対の側壁部２０および２２を含む。後部フラップ３７から延出し、一対の刻み目によって輪郭が形成された一対のタブは、ブランクがカートンに組み立てられるときに側壁部２０および２２に取り付けるためのものである。側壁部２０および２２は、その対向する２辺の中点を結ぶ線の近傍で実質的に垂直方向に延びる刻み目４０および４２を含む。底部フラップ１６は、その対向する２辺の中点を結ぶ線の近傍で水平方向に延びる刻み目４４を有する。ブランクは、大型上部フラップ１４と一対の小型フラップ２４および２６とをさらに有する。折り畳まれたとき、大型フラップ１４と小型フラップ２４および２６は、収容箱の上部を形成する。好ましい実施形態では、ブランクは、フィルム５０に設けられた取り出し開口６０を有する。フィルムは、組み立てられたカートンからティッシュペーパーを取り出すためのスリット６４を備える。
【００３６】
一実施形態では、圧縮可能なカートンが、予め折り畳まれ、折り合わせられたティッシュのクリップを収容するが、この予め折り畳まれ折り合わせられたティッシュのクリップは、カートン内において、折り合わせられた折り目がカートンの側壁部と平行になるような向きに配置される。本明細書において、「折り合わせられた」ティッシュとは、交互に間に差し込まれる形で配置されたティッシュ群を意味する。ティッシュは、製紙業界では周知の折り合わせ装置を使用する等の任意の適切な手段により折り合わせることができる。折り合わせ装置が使用される場合、連続したティッシュがミシン目に沿って互いに取り付けられる。その場合、ミシン目の孔のない部分は、ティッシュがカートンから取り出されるときに連続したティッシュが互いに分離できるように十分に弱くしておくべきである。これは、ティッシュシートにおける穿孔の度合いによって調節することができる。
【００３７】
カートンは、例えば自動車の車内に存在する狭い空間に挟み込むために、従来のティッシュカートンと比較して比較的薄いサイズにしておく必要がある。最大深さ（厚さ）は約３インチ（約７６．２ｍｍ）、好ましくは約２インチ（約５０．８ｍｍ）以下、より好ましくは約１．５インチ（約３８．１ｍｍ）以下である。前部および後部壁のサイズは、予め折り畳まれ折り合わせられたティッシュのサイズと概ね等しいサイズである。折り合わせ加工の結果、予め折り畳まれたティッシュは半分に折り畳まれることになる。従って、前部および後部のカートン壁は、予め折り畳まれ（Ｃ折りまたはＶ折り）、その後半分に折り合わせられた一般的なフルサイズのティッシュペーパーを収容するためには、約５インチ×約５インチ（約１２７ｍｍ×約１２７ｍｍ）にしておけばよいことがわかった。
【００３８】
さらに別の実施形態では、カートンが圧縮状態で保存されている間に動かないようにするために、カートンの外部に一定の材料が取り付けることができる。例えば、粘着性材料をカートンの前部および後部パネルに取り付けて、カートンを自動車のシートとコンソールとの間のような一定の場所に固定し、使用者がティッシュを取り出したときにカートンが外れるのを防止することができる。例えば、ゴムやゴム状材料（ラテックス（登録商標）やベルクロ（登録商標）など）他の摩擦強化材料の使用も想定されている。これらの材料をカートンのいずれかの面に貼り付けて、所望の結果を得ることができる。
【００３９】
当業者であれば、特許請求の範囲に記載された本発明の範囲および精神を逸脱することなく、その他の改変や変更を施して本発明を実施することができよう。本発明の種々の実施態様は、その全体または部分を相互に入れ換えた形態で実施することができる。本明細書に記載のすべての引用文献や引用特許文献は、引用によりその全内容を本発明と整合する形に読み替えて本明細書に併合する。引用文献と本明細書の内容に不整合や不一致がある場合、本明細書の内容が優先されるものとする。上述の実施形態の説明の内容は、特許請求の範囲に記載された本発明を当業者が実施可能とするための例示であって、特許請求の範囲の記載によって定義された範囲のものおよびその均等物である本発明の範囲を制限するものではない。
【図１】
2014500201.tif 000003
【図２】
2014500201.tif 000004
【図３】
2014500201.tif 000005
【図４】
2014500201.tif 000006
【図５】
2014500201.tif 000007
【国際調査報告】
2014500201.tif 000008
2014500201.tif 000009